(57)【要約】      （修正有）【課題】生地の同士の縫合部分の繋ぎ合わせによる凹凸をなくし、直接肌に触れる部分への影響を軽減する事。また、縫合部分の強度、デザイン性、清潔感をも考慮する事。【解決手段】商品を製作するに当り、従来の縫製方法では、８パーツからなる構成を一体裁断とアトピレス縫合を使用する事により、従来の縫製方法では、肌への凹凸部分があるものを肌に干渉する縫合部分の凹凸を改良改善した。また、製作行程も軽減され製作時間の短縮も実現する。【選択図】図５
0003115934.tif 000002
【実用新案登録請求の範囲】
【請求項１】
生地同士の繋ぎ合わせ部分を２枚の生地を同時に巻込み縫合し、縫代を表側に出す事、つまり肌と接触する部分の凹凸及び段差をなくす事を特徴とする、アトピー対策用肌着のダブルガーゼの縫合構造。
【請求項２】
袖の部分と前、後身頃を一体裁断し、また、襟、前立を一体裁断する事により裁断パーツを軽減させた衣類用一体裁断。
【考案の詳細な説明】
【技術分野】
【０００１】本考案は、アトピー性皮膚炎やデリケートな方の肌着やシーツなど肌に直接触れる部分にダブルガーゼを使用した衣類及び製品に有効な縫製構造
【背景技術】
【０００２】従来より、アトピー性皮膚炎、肌の弱い方やアレルギー体質に対応する肌着やパジャマといった製品は市場には、あるものの、図１の様な商品では、図２で裁断展開図で表すように袖２枚、前身頃２枚、前立２枚、後襟１枚、後身頃１枚と総計８パーツの裁断にも及ぶ上、脇や袖したなどの生地同士を繋ぐ部分が図３のような縫製構造からなり、肌に触れる部分が段差になるものや縫製部分の上から一枚の生地をおおうように、縫って隠したものに過ぎず、この方法では、生地の厚みをさらにプラスさせた事になり、肌に触れる部分への段差及び凹凸が余計に増し、肌への影響が改善された事になっていない。また、日本アトピー協会を通じてのモニターを行なった結果、僅かな段差やオーバーロックの縫い糸だけでも皮膚への刺激となり、炎症等などの影響が出るのが現状である。現在は、市販されている肌着を裏返して使用している事も解った。しかるに図３のような従来の生地の縫い合わせの縫製方法では、図３の３４、３５、３６、３７の部分に生地の折り返しとオーバーロックによる厚みが生じて改善された事にならず、ましてや、一枚の布で生地の折り返しや縫い糸などをを隠しただけでは、生地の縫い合わせ部分の厚みをさらに増す事になり、負担が軽減された事にはならない。【０００３】また、図２の前身頃７と後身頃８、後身頃９及び前身頃１５と袖１０、後身頃１１と後襟刳り１２、袖１８と１９、前身頃１６と前立て１７、前身頃１３と後身頃１４を図３の様に生地を二つ折りにしてオーバーロックミシンで生地端を始末して本縫いミシンで繋ぎ合わせる為、生地を折り重ねる部分に凹凸が出来、生地の縫合部分が１１ケ所にも及び、縫い糸が直接、肌に触れる構造の為、肌への炎症などの影響も多分に考えられる。
又、高価な素材での製品が多く見られ、経済面への影響も考えられた。
【考案の開示】
【考案が解決しようとする課題】
【０００４】しかるに、従来から用いられる図２や図３の通常の既製服や素材などの従来の縫製方法では、アレルギー体質への様々な影響や経済面の問題も改善できない。このような問題を鑑みて、図４の様に裁断パーツを出来る限り、軽減し、生地の縫い合わせ部分も同時に軽減させ、図６の様にメロー加工による生地の一体縫合を用いて縫合部分を表に全て出し、肌への影響を軽減し、見た目のデザイン性も重視し、吸水性、肌触り、強度など三位一体の改善も確保する事により、経済面への影響も改善する事を課題とする。
【課題を解決するための手段】
【０００５】しかるに、請求項２の図４で表す裁断方法を用いて請求項１の図５に表す縫合方法により、裁断パーツを８パーツから２パーツに減らし、生地の繋ぎ合わせ個所を図２の１１から図４の３ケ所に減らす事ができ、縫い合わせ部分も軽減させれ、図６の４５で表すようにメロー縫合するので見た目にも綺麗に仕上がり、デザイン性も損なわれる事は、なくなる。
また、図１で表すモデルは、上半身で使用する肌着であるが本考案の縫合加工は、下半身に着用するパンツなどにも使用可能である。
【考案の効果】
【０００６】素材には通気性や吸収性にも優れた比較的安価なダブルガーゼを使用する為、経済面での負担も軽減される。
又、請求項１で表すようにアトピー対策として、肌へ直接触れる部分の凹凸をなくすアトピー対策の縫合縫製をする為、縫い合わせ部分が肌に触れ、赤くなり、腫れるといったアトピー特有の肌への影響がかなり軽減される。【０００７】請求項２で表すように、特殊な一体裁断をし、裁断パーツが従来の衣類（図２）より、減少する上（図４）、減少した生地の縫い合わせ部分にも従来の縫い合わせ（図３）の縫合ではなく、請求項１の縫合（図５、図６）で生地を繋ぐ為、二重の効果が期待でき、従来の衣類に比べても、軽減できるアトピー用衣類として効果が期待できる。
【考案を実施するための最良の形態】
【０００８】通常縫製の肌着やパジャマなどで対応不可能なアレルギーや肌のデリケートな幼児などに使用する肌着やパジャマ、シーツなど、デザインやパターン上、特殊一体型（図４）裁断が可能であり、メロー縫合（アトピー対策用肌着のダブルガーゼの一体裁断縫合構造）による縫製が可能な素材であり、得に、アトピー性皮膚炎などのアレルギーを持つ方への商品に有効である素材には、ダブルガーゼを使用する為、肌に優しく、吸収性や通気性などの向上を挙げる事ができる。
また、縫製糸や加工糸は天然素材の綿糸を用いて肌への影響を抑える。【０００９】上記目的を達成する為、本考案では、素材には通気性や吸収性にも優れたダブルガーゼを使用して、さらに、図４の海星の様に一体裁断し、図５のように、生地の縫合部分を２枚同時にかさねてメロー加工で巻込み縫合し、強度面も確保する。
【実施例】
【００１０】実施例としては、主に図５、図６の様な縫製方法で素材としてダブルガーゼを使用して、デリケートな幼児などの肌着やパジャマなどが最良である。
また、図５の特殊縫合（アトピレス）をする事により肌に干渉する部分に凹凸がなくなる為、シーツなどへの使用も可能である。【００１１】通常の縫合図３より、図５、図６の縫合方法では、凹凸が軽減される為、幼児や肌のデリケートな方だけでなく、老人などの肌着やパジャマなど介護にも利用可能である。【００１２】図５−１、図５−２の縫合方法を用いれば肌着やパジャマだけでなく素材もダブルガーゼに限定さる事なく、市場で流通するほとんどの素材に適用可能であり、商品のバリエーションも無限に広がる。【００１３】製品の効果の実験データーとして、以下に書き添える。
日本アトピー協会を通じて、４〜５才児３名のアトピー性皮膚炎の患者にも３〜５週間数回に渡り着用してもらい、アンケートなどの要望や意見も考慮した上、考えられる範囲の改善をした結果。
最終結果として、以下に記する。
着心地が良い、縫い合わせの処理が考えられており、有り難かった、製品化して欲しいと思う。アトピーの子用に考えられた製品が増えて欲しいなどの要望や意見など、市場では、求められている事が解り、好印象の結果に満足した。
又、日本アトピー協会からの製品作成指示も得られた。
【図面の簡単な説明】
【００１４】
【図１】商品の完成一例を示した平面図
【図２】図１の商品に必要な裁断パーツの平面図
【図３】従来の生地の縫い合わせ構造を示した断面図
【図４】図１に必要な考案した裁断パーツの平面図
【図５−１】考案した生地の縫合方法を表した構造の断面図
【図５−２】考案した生地の縫合方法を表した構造の立体図
【符号の説明】
【００１５】１            左脇縫合部分
２            左袖下縫合部分
３            左前身頃縫合部分
４            左前立縫合部分
５            右袖下縫合部分
６            右脇縫合部分
７            従来裁断の右前身頃符号８との縫合部分
８            従来裁断の後身頃符号７との縫合部分
９            従来裁断の右肩符号１０との縫合部分
１０          従来裁断の符号９との縫合部分
１１          従来裁断の左肩符号２８との縫合部分
１２          従来裁断の後襟刳り符号２２との縫合部分
１３          従来裁断の右肩符号後身頃１４との縫合部分
１４          従来裁断の符号１３右前身頃との縫合部分
１５          従来裁断の符号１０右袖との縫合部分
１６          従来裁断の符号１７右前立との縫合部分
１８          従来裁断の符号１９右袖下後との縫合部分
２０          従来裁断の符号２１後襟刳りとの縫合部分
２２          従来裁断の符号３１後襟刳りとの縫合部分
２３          従来裁断の符号２４との縫合部分
２５          従来裁断の符号２６左袖下との縫合部分
２６          従来裁断の符号３０袖下との縫合部分
２７          従来裁断の符号左前立３０との縫合部分
２８          従来裁断の１１後身頃との縫合部分
２９          従来裁断の符号２１左前立との縫合部分
３１          従来裁断の符号２２後襟刳りとの縫合部分
３３          従来裁断の符号３１との縫合部分
４０          考案した裁断の４４との縫合部分
４１          考案した裁断の右側の縫合部分
４２          考案した裁断の左側の縫合部分
４３          考案した裁断の本体とのはめ込み縫合部分
【図１】
0003115934.tif 000003
【図２】
0003115934.tif 000004
【図３】
0003115934.tif 000005
【図４】
0003115934.tif 000006
【図５】
0003115934.tif 000007
【図６】
0003115934.tif 000008
【手続補正書】
【提出日】平成17年8月4日(2005.8.4)
【手続補正１】
【補正対象書類名】実用新案登録請求の範囲
【補正対象項目名】全文
【補正方法】変更
【補正の内容】
【実用新案登録請求の範囲】
【請求項１】
生地同士の繋ぎ合わせ部分を２枚の生地を同時に巻込み縫合し、縫代を表側に出す事、つまり肌と接触する部分の凹凸及び段差をなくす事を特徴とする、アトピー対策用肌着のダブルガーゼの縫合構造。
【請求項２】
袖の部分と前、後身頃を一体裁断し、また、襟、前立を一体裁断する事により裁断パーツを軽減させたことを特徴とする、請求項１記載のアトピー対策用肌着のダブルガーゼの縫合構造に用いる一体裁断パーツの考案
【手続補正２】
【補正対象書類名】明細書
【補正対象項目名】００１４
【補正方法】変更
【補正の内容】
【００１４】
【図１】商品の完成一例を示した平面図
【図２】図１の商品に必要な裁断パーツの平面図
【図３】従来の生地の縫い合わせ構造を示した断面図
【図４】図１に必要な考案した裁断パーツの平面図
【図５】考案した生地の縫合方法を表した構造の断面図
【図６】考案した生地の縫合方法を表した構造の立体図